(57)【要約】【課題】洗濯物の乾燥に伴って発生する糸くず等のリント類を回収する糸くず回収装置の着脱時の検知距離がバラツキ等で大きく変わらず、検知精度が良好で、糸くず回収装置の取り扱いが容易なドラム式洗濯乾燥機を実現する。【解決手段】循環送風経路１４途中に設けられ洗濯物から発生する糸くず等のリント類を回収する脱着可能な糸くず回収装置１７と、糸くず回収装置１７の有無を検知する糸くず回収有無検知手段３４とを備え、糸くず回収有無検知手段３４は、糸くず回収装置１７に設けた突起部３３にて本体１内に設けた押しボタン式接点３４ｄを電気的に開閉させる構成としたことにより、部品や組立てのバラツキ等で糸くず回収装置１７の検知距離が大きく変わることがなく、検知精度が良好で、糸くず回収装置１７の取り扱いを容易にすることができる。【選択図】図４
2007117137.tif 000002
【特許請求の範囲】
【請求項１】
有底円筒形に形成され水平方向または傾斜方向に回転軸を有する回転ドラムと、本体内に弾性的に支持され前記回転ドラムを内包する水槽と、前記回転ドラム内から排気した空気を除湿部、加熱部を通して再び前記回転ドラム内に送風する循環送風経路と、前記循環送風経路途中に着脱可能に装着され洗濯物から発生する糸くず等のリント類を回収する糸くず回収装置と、前記糸くず回収装置の装着の有無を検知する糸くず回収有無検知手段とを備え、前記糸くず回収有無検知手段は、糸くず回収装置に設けた突起部にて前記本体内に設けた押しボタン式接点を電気的に開閉させる構成としたドラム式洗濯乾燥機。
【請求項２】
糸くず回収有無検知手段は、押しボタン式接点と、可動体棒と、前記押しボタン式接点と前記可動体棒とを連動させるバネと、外ケースとを備えた請求項１に記載のドラム式洗濯乾燥機。
【請求項３】
可動体棒は、押しボタン式接点がＯＮ／ＯＦＦいずれにおいても外ケースの内側に収めた請求項２に記載のドラム式洗濯乾燥機。
【請求項４】
可動体棒は、パッキンを介して外ケースとの密着を行なうよう構成した請求項２または３に記載のドラム式洗濯乾燥機。
【発明の詳細な説明】
【技術分野】
【０００１】
本発明は、回転軸が水平もしくは傾斜した回転ドラム内で洗濯、すすぎ、脱水、乾燥の各行程を行ない、送風経路に糸くず等のリント類を回収する糸くず回収装置を有したドラム式洗濯乾燥機に関するものである。
【背景技術】
【０００２】
従来、この種のドラム式洗濯乾燥機は、乾燥行程を実施した場合に、洗濯物の乾燥に伴って発生する糸くず等のリント類が送風経路や送風ファン等に堆積することを防止するため、糸くず等のリント類を回収する糸くず回収装置を送風経路に設けている。この糸くず回収装置は、堆積したリント類を使用者が随時除去し清掃できるようにするために、本体の天面に設けた蓋板を開けて着脱できるようになっており、糸くず回収装置に磁石を内蔵し、本体側に設けた磁力判定手段にて糸くず回収装置の有無を検知する構成としている（例えば、特許文献１参照）。
【特許文献１】特開２００５−１４３７９０号公報
【発明の開示】
【発明が解決しようとする課題】
【０００３】
しかしながら、このような従来のドラム式洗濯乾燥機の構成では、磁石を磁力判定手段に近づけたり遠ざけたりすることで糸くず回収装置の有無を検知していたため、磁石の磁力バラツキにより検知距離が大きく変わり、また検知精度が悪いという課題を有していた。そして、検知距離が大きく変わるため、糸くず回収装置と本体との間のシールが不完全となり、乾燥行程時に機外から塵埃がその隙間を通じて水槽内や回転ドラム内に吸い込まれたり、糸くず回収装置を本体に正常な位置に装着したにもかかわらず装着が検知されないという不具合を生じるという課題も有していた。
【０００４】
本発明は、上記従来の課題を解決するもので、バラツキ等で検知距離が大きく変わらず検知精度が良好で取り扱いが容易な糸くず回収装置を有したドラム式洗濯乾燥機を提供することを目的とする。
【課題を解決するための手段】
【０００５】
上記従来の課題を解決するために、本発明のドラム式洗濯乾燥機は、有底円筒形に形成され水平方向または傾斜方向に回転軸を有する回転ドラムと、本体内に弾性的に支持され前記回転ドラムを内包する水槽と、前記回転ドラム内から排気した空気を除湿部、加熱部を通して再び前記回転ドラム内に送風する循環送風経路と、前記循環送風経路途中に着脱可能に装着され洗濯物から発生する糸くず等のリント類を回収する糸くず回収装置と、前記糸くず回収装置の装着の有無を検知する糸くず回収有無検知手段とを備え、前記糸くず回収有無検知手段は、糸くず回収装置に設けた突起部にて前記本体内に設けた押しボタン式接点を電気的に開閉させる構成としたものである。
【０００６】
これによって、各部品寸法や組立て時のバラツキ等の影響で糸くず回収装置の検知距離が大きく変わることがなく、検知精度が良好で、かつ、取り扱いが容易とすることができる。また、糸くず回収装置と本体との間を完全にシールでき、乾燥行程時に機外からの塵埃の水槽内や回転ドラム内への進入を防止でき、また、糸くず回収装置を本体に正常な位置に装着したにもかかわらず装着が検知されないという不具合も解消できる。
【発明の効果】
【０００７】
本発明のドラム式洗濯乾燥機は、バラツキ等で糸くず回収装置の検知距離が大きく変わらず検知精度が良好で、糸くず回収装置の取り扱いを容易にすることができる。
【発明を実施するための最良の形態】
【０００８】
第１の発明は、有底円筒形に形成され水平方向または傾斜方向に回転軸を有する回転ドラムと、本体内に弾性的に支持され前記回転ドラムを内包する水槽と、前記回転ドラム内から排気した空気を除湿部、加熱部を通して再び前記回転ドラム内に送風する循環送風経路と、前記循環送風経路途中に着脱可能に装着され洗濯物から発生する糸くず等のリント類を回収する糸くず回収装置と、前記糸くず回収装置の装着の有無を検知する糸くず回収有無検知手段とを備え、前記糸くず回収有無検知手段は、糸くず回収装置に設けた突起部にて前記本体内に設けた押しボタン式接点を電気的に開閉させる構成としたことにより、糸くず回収装置に設けた突起部にて直接押しボタン式接点を押すことで電気的に接点を開閉させ糸くず回収装置の装着の有無を検知することができ、バラツキ等で糸くず回収装置の検知距離が大きく変わらず検知精度が良好で、糸くず回収装置の取り扱いを容易にすることができる。
【０００９】
第２の発明は、特に、第１の発明において、糸くず回収有無検知手段は、押しボタン式接点と、可動体棒と、前記押しボタン式接点と前記可動体棒とを連動させるバネと、外ケースとを備えたことにより、可動体棒と押しボタン式接点との距離とバネ定数を決定することにより検知距離をさらに細かく自由に設定することが可能となり、さらにバラツキ等で糸くず回収装置の検知距離が大きく変わらず検知精度が良好で、糸くず回収装置の取り扱いを容易にすることができる。
【００１０】
第３の発明は、特に、第２の発明において、可動体棒は、押しボタン式接点がＯＮ／ＯＦＦいずれにおいても外ケースの内側に収めたことにより、可動体棒を容易に指等で押すことができなくなり、指等による誤作動がなくなり、しかも安全である。
【００１１】
第４の発明は、特に、第２または第３の発明において、可動体棒は、パッキンを介して外ケースとの密着を行なうよう構成したことにより、可動体棒を動かしたときの可動体棒と外ケースとの隙間より外ケース内部に進入してくる糸くず等のリント類を防止することができ、糸くず回収装置の耐久性、信頼性を確保することができる。
【００１２】
以下、本発明の実施の形態について、図面を参照しながら説明する。なお、この実施の形態によって本発明が限定されるものではない。
【００１３】
（実施の形態１）
本発明の第１の実施の形態におけるドラム式洗濯乾燥機について、図１〜５を用いて説明する。図１は、本実施の形態１におけるドラム式洗濯乾燥機の斜視図、図２は、同ドラム式洗濯乾燥機の側断面図、図３は、同ドラム式洗濯乾燥機の糸くず回収装置近傍の要部断面図、図４は、同ドラム式洗濯乾燥機の糸くず回収装置の着設時の要部斜視図、図５は、同ドラム式洗濯乾燥機の糸くず回収有無検知手段の断面図である。
【００１４】
図１および図２において、ドラム式洗濯乾燥機の本体１内に、ばね体（図示せず）やダンパー構造５等によって水槽３が宙吊り状態に配設され、水槽３内に有底円筒形に形成された回転ドラム２がその回転軸２ａの軸心方向を正面側から背面側に向けて下向きに傾斜させてかつ回転自在に配設されている。水槽３の正面側には回転ドラム２の開口端に通じる衣類出入口１０が形成され、本体１の前面を構成する前部枠体６の前部に形成された上向き傾斜面に設けられた開口部６ａを開閉する扉９を開くことにより、衣類出入口１０を通じて回転ドラム２内に洗濯物を出し入れすることができる。扉９が上向き傾斜面に設けられているため、洗濯物を出し入れする作業を腰を屈めることなく実施でき、一般には横向きにある開口部から洗濯物を出し入れするドラム式洗濯乾燥機の作業性の悪さが改善されている。
【００１５】
回転ドラム２の周面には水槽３内に通じる多数の透孔８が形成され、内周面の複数位置に撹拌突起４が設けられている。この回転ドラム２は水槽３の背面側に取り付けられたモータ７によって正転及び逆転方向に回転駆動される。また、水槽３には、注水管路（図示せず）及び排水管路１１が配管接続され、注水弁１２および排水弁１３の制御によって水槽３内への注水および排水がなされる。
【００１６】
前部枠体６の上部中央には、操作表示部１５が配置され、使用者は、必要に応じて操作表示部１５を操作することにより、希望する運転内容を設定したり、運転スタート、一時停止を行ない、運転の進行状態を認識することができる。
【００１７】
また、本第１の実施の形態におけるドラム式洗濯乾燥機には、回転ドラム２内に収容した洗濯物を乾燥する機能が設けられており、水槽３内の空気を排気して除湿し、加熱されて乾燥した温風にして再び水槽３内に送風する循環送風経路１４が形成されている。
【００１８】
扉９を開いて回転ドラム２内に洗濯物を投入して運転を開始させると、注水弁１２が開き、洗剤投入ケース１６内に水が注水され、その中に投入されていた洗剤を流しながら、注水管路（図示せず）を介して、水槽３内に所定量の注水がなされ、モータ７により回転ドラム２が回転駆動されて洗濯行程が開始される。洗濯行程中の洗濯物は、回転ドラム２の回転により、撹拌突起４によって回転方向に持ち上げられ落下する撹拌動作が繰り返され、いわゆる叩き洗いの作用が及んで洗濯がなされる。
【００１９】
所要の洗濯時間の後、排水弁１３が開き、汚れた洗濯液は排水管路１１から機外に排出され、回転ドラム２を高速回転させる脱水動作により洗濯物に含まれた洗濯液を脱水し、その後、水槽３内に注水管路（図示せず）から注水され、すすぎ行程が実施される。このすすぎ行程においても、洗濯物には回転ドラム２の回転により、撹拌突起４で持ち上げられて落下する撹拌動作が繰り返されてすすぎ洗いが実施される。すすぎ行程が終了すると、回転ドラム２を高速回転させて脱水する脱水行程が実行される。
【００２０】
上記の脱水行程が終了すると、乾燥行程に移行する。乾燥行程においては、回転ドラム２を所定回転数で回転駆動し、撹拌突起４によって洗濯物を回転方向に持ち上げて落下させる撹拌動作が繰り返されるとともに、以下の手順によって、内部の空気を除湿および過熱を行ない、洗濯物を乾燥させる。
【００２１】
すなわち、循環送風経路１４内に配設された送風ファン１８を回転駆動することにより、循環送風経路１４に矢印で示す空気の流れが発生して、洗濯物を収容した回転ドラム２内の空気は透孔８を通じて、水槽３内に入り、水槽３の排気口１９から除湿管路２０に排気される。除湿管路２０には、注水弁１２から供給される水の噴霧等により冷却された熱交換板２１が配設され、水槽３内から排気された水分を含む空気は、熱交換板２１上を通過する間に冷却され水分が結露して除湿される。
【００２２】
除湿された空気は、第１の接続ホース２４を通り、糸くず回収装置１７を通過して乾燥運転中に発生した糸くず等のリント類が除去された後、送風経路２２を通って送風ファン１８に入り、さらに、第２の接続ホース２５を通った後、乾燥ヒーター（図示せず）で加熱され乾いた温風となって、温風供給口２３から水槽３に送り込まれ、その後、回転ドラム２内へ循環供給される。この空気の循環が所要時間繰り返され、洗濯物に含まれた水分が徐々に奪われて乾燥が進行する。糸くず回収装置１７は、図１に示すように、本体１の前部枠体６の上部分のコーナー部に、本体１に着脱自在に設けている。
【００２３】
糸くず回収装置１７について、以下、図３および図４を用いて説明する。図３および図４に示すように、糸くず回収装置１７は、第１のフィルター部材２７および第２のフィルター部材２８を備えていて、これらのフィルター部材２７、２８は、乾燥中は本体１に設けたフィルター収納部材２６の中に収納して使用される。フィルター収納部材２６には、その下面に第１の接続ホース２４からの空気が送入される送入口２９と、空気が送風経路２２に送出される送出口３０が形成されている。
【００２４】
第１のフィルター部材２７には、送入口２９に対応する位置に下方から送入された空気が通過する部分に略平面状の第１のフィルター３１を設けている。第２のフィルター部材２８には、送出口３０に対応する部分に略平面状の第２のフィルター３２を設けている。
【００２５】
また、第１のフィルター部材２７の前方側には、着脱用の把手部３５を設けており、この把手部３５は、糸くず回収装置１７をフィルター収納部材２６に装着したとき前部枠体６とほぼ同一面となるように形成されている。また、第１のフィルター部材２７には、フィルター収納部材２６に装着したときにその前方開口部と対応する位置に、ゴム等の弾性を有する材料製のシール部材３６が取り付けられている。そして、糸くず回収装置１７をフィルター収納部材２６に装着したときに、このシール部材３６によって、第１のフィルター３１、第２のフィルター３２、送入口２９、送風経路２２等が機外から遮断される。
【００２６】
この構成においては、乾燥運転中に発生した糸くず等のリント類が第１のフィルター３１及び第２のフィルター３２で回収され、乾燥運転終了後、使用者は糸くず回収装置１７をフィルター収納部材２６から引き出し、第１のフィルター３１及び第２のフィルター３２に蓄積した糸くず等のリント類を除去し、除去後再度糸くず回収装置１７をフィルター収納部材２６の中に収納することで、着脱自在にしている。
【００２７】
また、糸くず回収装置１７の把手部３５は、糸くず回収装置１７をフィルター収納部材２６に装着したとき、前部枠体６とほぼ同一面となるよう形成されているので、外観の美観を向上させることができる。
【００２８】
糸くず回収有無検知手段３４は、図４に示すように、フィルター収納部材２６の下部に設け、糸くず回収装置１７の第２のフィルター部材２８の下部には突起部３３を設けて糸くず回収装置１７のフィルター収納部材２６すなわち本体１への装着の有無を検知している。
【００２９】
糸くず回収有無検知手段３４について、以下、図４および図５を用いて説明する。この糸くず回収有無検知手段３４は、図４に示すように可動体棒３４ａを前方になるように横向けにしてフィルター収納部材２６の下部に設けてあるが、図５においては縦向けにして説明する。図５に示すように、糸くず回収有無検知手段３４は、可動体棒３４ａの下部にバネ３４ｂを配置し、可動体棒に上から作用する圧力をキャップ３４ｃを介して押しボタン式接点３４ｄに連動して作用させる。押しボタン式接点３４ｄの接点間にコネクタ３４ｅを接続し、押しボタン式接点３４ｄのＯＮ／ＯＦＦ信号を電子制御部（図示せず）に伝える。
【００３０】
また、可動体棒３４ａが上下に移動した際、外ケース３４ｇとの間の隙間を埋めるためにパッキン３４ｆを配置している。また、可動体棒３４ａは、押しボタン式接点３４ｄがＯＦＦに対応する最上位位置においても外ケース３４ｇの内側に収まるように配置している。
【００３１】
この構成においては、まず糸くず回収装置１７をフィルター収納部材２６に収納している際は、糸くず回収装置１７の第２のフィルター部材２８の下部に設けた突起部３３が糸くず回収有無検知手段３４の可動体棒３４ａを内部に押し込むため、バネ３４ｂが収縮し、キャップ３４ｃを介して押しボタン式接点をＯＮし、電子制御部（図示せず）にＯＮ信号をコネクタ３４ｅから伝える。
【００３２】
また、糸くず回収装置１７をフィルター収納部材２６から取り出した際は、突起部３３が糸くず回収有無検知手段３４の可動体棒３４ａから離れ、バネ３４ｂの収縮が元にもどることにより押しボタン式接点をＯＦＦし、電子制御部（図示せず）にＯＦＦ信号をコネクタ３４ｅから伝える。
【００３３】
以上のように、本実施の形態においては、糸くず回収装置１７に設けた突起部３３にて直接押しボタン式接点３４ｄを押すことで電気的に接点を開閉させて糸くず回収装置１７のフィルター収納部材２６すなわち本体１への装着の有無を検知することとなり、各部品寸法や組立て時のバラツキ等の影響で糸くず回収装置１７の検知距離が大きく変わることがなく、検知精度が良好で、かつ、取り扱いの容易な糸くず回収装置１７を実現することができる。また、糸くず回収装置１７の検知距離が大きく変わることがなくなるので、糸くず回収装置１７と本体１との間を完全にシールでき、乾燥行程時に機外からの塵埃の水槽３内や回転ドラム２内への進入を防止でき、また、糸くず回収装置１７を本体１に正常な位置に装着したにもかかわらず装着が検知されないという不具合も解消できる。
【００３４】
また、可動体棒３４ａと押しボタン式接点３４ｄとの距離とバネ３４ｂの定数を選択することにより検知距離をさらに細かく自由に設定することが可能となり、さらにバラツキ等で糸くず回収装置１７の検知距離が大きく変わらず検知精度が良好で、糸くず回収装置１７の取り扱いを容易にすることができる。
【００３５】
また、可動体棒３４ａは、押しボタン式接点３４ｄがＯＮ／ＯＦＦいずれにおいても外ケース３４ｇの内側に収めることにより、可動体棒３４ａが安易に指等で押されることを防止できるので、指等による誤作動がなくなり、しかも安全である。
【００３６】
また、可動体棒３４ａはパッキン３４ｆを介して外ケース３４ｇとの密着を行なう構成とすることにより、可動体棒３４ａを動かしたときの可動体棒３４ａと外ケース３４ｇとの隙間より外ケース３４ｇ内部に進入してくる糸くず等のリント類を防止することができるので、糸くず回収装置１７の耐久性、信頼性を確保することができる。
【００３７】
なお、上記実施の形態１では、フィルター収納部材２６の下部に糸くず回収有無検知手段３４を設置したが、突起部３３との位置関係が満たされれば、上部あるいは側面部に配置しても同等の効果が得られる。
【産業上の利用可能性】
【００３８】
以上のように、本発明にかかるドラム式洗濯乾燥機は、糸くず回収装置の装着忘れを防止し、また、糸くず回収装置に付着した糸くず等のリント類の除去を容易にし、使い勝手を良くすることができるので、フィルター等のメンテナンスを要する部品を搭載したドラム式洗濯乾燥機等として有用である。
【図面の簡単な説明】
【００３９】
【図１】本発明の実施の形態１におけるドラム式洗濯乾燥機の斜視図
【図２】同ドラム式洗濯乾燥機の側断面図
【図３】同ドラム式洗濯乾燥機の糸くず回収装置近傍の要部断面図
【図４】同ドラム式洗濯乾燥機の糸くず回収装置の着設時の要部斜視図
【図５】同ドラム式洗濯乾燥機の糸くず回収有無検知手段の断面図
【符号の説明】
【００４０】
１  本体
２  回転ドラム
３  水槽
１４  循環送風経路
１７  糸くず回収装置
３３  突起部
３４  糸くず回収有無検知手段
３４ａ  可動体棒
３４ｂ  バネ
３４ｄ  押しボタン式接点
３４ｆ  パッキン
３４ｇ  外ケース
【図１】
2007117137.tif 000003
【図２】
2007117137.tif 000004
【図３】
2007117137.tif 000005
【図４】
2007117137.tif 000006
【図５】
2007117137.tif 000007